(57)【特許請求の範囲】
【請求項１】
光源と、
電源部と、
前記電源部による電源供給を制御する電源制御部と、
画像を投射する投射レンズと、
前記投射レンズを移動させるレンズ駆動部と、を備え、
前記電源制御部は、前記光源に電源を供給して、前記光源を点灯可能とする第１の電源供給モードと、前記光源への電源供給を停止する第２の電源供給モードとを実行し、
前記第２の電源供給モードにおいて、前記レンズ駆動部に電源を供給し、前記投射レンズが着脱可能となる着脱位置に前記投射レンズを移動可能とした、ことを特徴とするプロジェクター。
【請求項２】
前記レンズ駆動部により前記投射レンズを前記着脱位置に移動させ、前記投射レンズの前記着脱位置への移動が完了した場合に、前記電源制御部により前記電源部からの前記レンズ駆動部又は前記プロジェクターへの電源供給を停止させるレンズ移動処理を実行可能である、ことを特徴とする請求項１記載のプロジェクター。
【請求項３】
操作を受け付ける操作受付部を備え、
前記操作受付部により所定の操作が受け付けられた場合に、前記レンズ駆動部により前記投射レンズを前記着脱位置に移動させる、ことを特徴とする請求項２記載のプロジェクター。
【請求項４】
前記操作受付部に設けられた操作子に対する予め設定された時間以上の操作を検出した場合に、前記レンズ駆動部により、前記投射レンズを前記着脱位置に移動させる、ことを特徴とする請求項３記載のプロジェクター。
【請求項５】
前記投射レンズは、レンズと、前記レンズを移動させるモーターとを有するレンズブロックであり、
前記プロジェクターの本体部は、前記投射レンズが装着され、前記レンズ駆動部と前記モーターとが電気的に接続された場合に、前記レンズ駆動部と前記モーターとを静電気から保護する保護素子を備える、ことを特徴とする請求項１から４のいずれかに記載のプロジェクター。
【請求項６】
前記電源部から前記レンズ駆動部に電源供給しない第３の電源供給モードを備え、
前記第２の電源供給モードでは、前記第１及び前記第３の電源供給モードとは異なる報知を行う報知部を備える、ことを特徴とする請求項１から５のいずれかに記載のプロジェクター。
【請求項７】
光源と、電源部と、前記電源部による電源供給を制御する電源制御部と、画像を投射する投射レンズと、前記投射レンズを移動させるレンズ駆動部と、を備えるプロジェクターの制御方法であって、
前記電源制御部により、電源供給モードを、前記光源に電源を供給して、前記光源を点灯可能とする第１の電源供給モードと、前記光源への電源供給を停止する第２の電源供給モードとに変更するステップと、
前記第２の電源供給モードにおいて、前記電源制御部により前記レンズ駆動部に電源を供給し、前記投射レンズが着脱可能となる着脱位置に前記投射レンズを移動可能とするステップと、
を有することを特徴とするプロジェクターの制御方法。
【発明の詳細な説明】
【技術分野】
【０００１】
本発明は、プロジェクター、及び、プロジェクターの制御方法に関する。
【背景技術】
【０００２】
従来から、投射レンズのレンズ交換が可能なプロジェクターが知られている（例えば、特許文献１参照）。
特許文献１のプロジェクターは、レンズカバー又はレンズユニットの着脱を検出するレンズ交換検出部と、レンズ交換検出部からの信号に基づいてレンズカバー又はレンズユニットの着脱状態を判定する制御部とを備え、レンズカバー又はレンズユニットが取り外されたと判定すると、投射モードからレンズ交換モードに移行し、少なくとも光源の電源をオフにする。
【先行技術文献】
【特許文献】
【０００３】
【特許文献１】特開２０１４−１３７５１３号公報
【発明の概要】
【発明が解決しようとする課題】
【０００４】
ところで、プロジェクターは、消費電力を削減する目的で、複数の電源供給モードを備えている。プロジェクターが消費電力を削減する電源供給モードに移行してしまうと、投射レンズを移動させることができない場合があり、投射レンズが着脱可能な着脱位置にない場合には投射レンズを取り外すことができない。このため、プロジェクターから投射レンズを取り外すには、プロジェクターを再起動させる必要があった。
本発明は、上記事情に鑑みてなされたものであり、プロジェクターの消費電力を削減する電源供給モードにおいても、レンズ交換を速やかに行うことが可能なプロジェクター及びプロジェクターの制御方法を提供することを目的とする。
【課題を解決するための手段】
【０００５】
かかる目的を達成するために、本発明のプロジェクターは、光源と、電源部と、前記電源部による電源供給を制御する電源制御部と、画像を投射する投射レンズと、前記投射レンズを移動させるレンズ駆動部と、を備え、前記電源制御部は、前記光源に電源を供給して、前記光源を点灯可能とする第１の電源供給モードと、前記光源への電源供給を停止する第２の電源供給モードとを実行し、前記第２の電源供給モードにおいて、前記レンズ駆動部に電源を供給し、前記投射レンズが着脱可能となる着脱位置に前記投射レンズを移動可能としたことを特徴とする。
本発明によれば、光源への電源供給が停止する第２の電源供給モードにおいて、投射レンズを着脱位置に移動させることができる。従って、プロジェクターの消費電力を削減する電源供給モードにおいても、プロジェクターを再起動させることなく、レンズ交換を速やかに行うことが可能となる。
【０００６】
また、本発明は、上記構成のプロジェクターにおいて、前記レンズ駆動部により前記投射レンズを前記着脱位置に移動させ、前記電源制御部により前記電源部からの電源供給を停止させるレンズ移動処理を実行可能であることを特徴とする。
本発明によれば、投射レンズを着脱位置に移動させ、電源部からの電源供給を停止させることができる。従って、消費電力の少ないプロジェクターを実現できる。
【０００７】
また、本発明は、上記構成のプロジェクターにおいて、前記レンズ移動処理において、前記レンズ駆動部又は前記プロジェクターへの電源供給を停止させることを特徴とする。
本発明によれば、レンズ移動処理において、レンズ駆動部又はプロジェクターへの電源供給が停止される。従って、投射レンズのレンズ交換をより安全に行うことができる。
【０００８】
また、本発明は、上記構成のプロジェクターにおいて、操作を受け付ける操作受付部を備え、前記操作受付部により所定の操作が受け付けられた場合に、前記レンズ駆動部により前記投射レンズを前記着脱位置に移動させることを特徴とする。
本発明によれば、操作受付部が所定の操作を受け付けた場合に、投射レンズが着脱位置に移動される。従って、ユーザーからの操作によって、投射レンズを交換したいときだけ投射レンズを着脱位置に移動させることができるので、不要なレンジ移動及び電源供給を抑えた低消費電力なプロジェクターを実現できる。
【０００９】
また、本発明は、上記構成のプロジェクターにおいて、前記操作受付部に設けられた操作子に対する予め設定された時間以上の操作を検出した場合に、前記レンズ駆動部により、前記投射レンズを前記着脱位置に移動させることを特徴とする。
本発明によれば、操作子に対する予め設定された時間以上の操作を検出した場合に、射レンズが着脱位置に移動される。従って、操作子が誤って押下された場合に、投射レンズの移動を防止することができる。
【００１０】
また、本発明は、上記構成のプロジェクターにおいて、前記投射レンズは、レンズと、前記レンズを移動させるモーターとを有するレンズブロックであり、前記プロジェクターの本体部は、前記投射レンズが装着され、前記レンズ駆動部と前記モーターとが電気的に接続された場合に、前記レンズ駆動部と前記モーターとを静電気から保護する保護素子を備えることを特徴とする。
本発明によれば、レンズ駆動部と前記モーターとを静電気から保護することができる。
【００１１】
また、本発明は、上記構成のプロジェクターにおいて、前記電源部から前記レンズ駆動部に電源供給しない第３の電源供給モードを備え、前記第２の電源供給モードでは、前記第１及び前記第３の電源供給モードとは異なる報知を行う報知部を備えることを特徴とする。
本発明によれば、プロジェクターが第２の電源供給モードに移行した場合に、第１及び第３の電源供給モードとは異なる報知を行うことができる。
【００１２】
本発明のプロジェクターの制御方法は、光源と、電源部と、前記電源部による電源供給を制御する電源制御部と、画像を投射する投射レンズと、前記投射レンズを移動させるレンズ駆動部と、を備えるプロジェクターの制御方法であって、前記電源制御部により、電源供給モードを、前記光源に電源を供給して、前記光源を点灯可能とする第１の電源供給モードと、前記光源への電源供給を停止する第２の電源供給モードとに変更するステップと、前記第２の電源供給モードにおいて、前記電源制御部により前記レンズ駆動部に電源を供給し、前記投射レンズが着脱可能となる着脱位置に前記投射レンズを移動可能とするステップと、を有することを特徴とする。
本発明によれば、光源への電源供給が停止する第２の電源供給モードにおいて、投射レンズを着脱位置に移動させることができる。従って、プロジェクターの消費電力を削減する電源供給モードにおいても、プロジェクターを再起動させることなく、レンズ交換を速やかに行うことが可能となる。
【図面の簡単な説明】
【００１３】
【図１】プロジェクターの構成を示す機能ブロック図。
【図２】プロジェクターの備える電源供給モードを示す図。
【図３】プロジェクターのハードウェア構成を示す図。
【図４】プロジェクターと投射光学系との接続構成を示す図。
【図５】メイン回路のブロック図。
【図６】プロジェクターの動作を示すフローチャート。
【発明を実施するための形態】
【００１４】
以下、図面を参照して本発明の実施形態について説明する。
図１は、プロジェクター１００の構成を示す機能ブロック図である。
プロジェクター１００は、パーソナルコンピューターや各種映像プレーヤー等の外部の画像供給装置３００に接続され、この画像供給装置３００から供給される画像信号に基づく画像を投射対象に投射する。
画像供給装置３００には、例えば、ビデオ再生装置や、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。また、投射対象は、建物の外壁等の一様に平らではない物体であってもよいし、スクリーンＳＣ等の一様に平らではない物体であってもよい。図１には、投射対象がスクリーンＳＣである場合を例示する。
【００１５】
プロジェクター１００は、画像供給装置３００に接続するインターフェースとして、インターフェース部（以下、インターフェースをＩ／Ｆと略記する）２０１を備える。
Ｉ／Ｆ部２０１は、ケーブルを接続するコネクター及びＩ／Ｆ回路（いずれも図示略）を備え、ケーブルを介して接続された画像供給装置３００から供給される画像信号を入力する。Ｉ／Ｆ部２０１は、入力される画像信号を画像データに変換して画像処理部２０３に出力する。
【００１６】
Ｉ／Ｆ部２０１が備えるインターフェースは、例えば、Ｅｔｈｅｒｎｅｔ（登録商標）、ＩＥＥＥ１３９４、ＵＳＢ、ＲＳ−２３２Ｃ等のデータ通信用のインターフェースであってもよい。また、Ｉ／Ｆ部２０１のインターフェースは、ＭＨＬ（登録商標）、ＨＤＭＩ（登録商標）、ＤｉｓｐｌａｙＰｏｒｔ等の画像データ用のインターフェースであってもよい。
また、Ｉ／Ｆ部２０１は、コネクターとして、アナログ画像信号が入力されるＶＧＡ端子や、デジタル画像データが入力されるＤＶＩ（Digital Visual Interface）端子を備える構成であってもよい。さらに、Ｉ／Ｆ部２０１は、Ａ／Ｄ変換回路を備え、ＶＧＡ端子を介してアナログ画像信号が入力された場合に、Ａ／Ｄ変換回路によりアナログ画像信号を画像データに変換して画像処理部２０３に出力する。
【００１７】
プロジェクター１００は、大きく分けて光学的な画像の形成を行う表示部１１０と、表示部１１０により表示される画像を電気的に処理する画像処理系とを備える。まず、表示部１１０について説明する。表示部１１０は、光源部１１１、光変調装置１１２及び投射光学系１１３を備える。光源部１１１が本発明の「光源」に相当する。
【００１８】
光源部１１１の光源には、キセノンランプ、超高圧水銀ランプ、ＬＥＤ（Light Emitting Diode）、レーザー光源等の高輝度な光源が用いられる。また、光源部１１１は、光源が発した光を光変調装置１１２に導くリフレクター及び補助リフレクターを備えていてもよい。さらに、光源部１１１は、投射光の光学特性を高めるためのレンズ群（図示略）や偏光板を備えていてもよい。
また、光源部１１１には、光源駆動部１２１が接続される。光源駆動部１２１は、内部バス１８０に接続され、同じく内部バス１８０に接続された制御部２５０の制御に従って、光源部１１１への電源供給を制御し、光源部１１１の光源を点灯及び消灯させる。
【００１９】
光源部１１１から射出された光は、ダイクロイックミラー（図示略）等の光学系によって光の３原色であるＲ，Ｇ，Ｂの各色成分に分離され、光変調装置１１２に入射される。
【００２０】
光変調装置１１２は、Ｒ，Ｇ，Ｂの各色成分に対応した３つの液晶パネル（いずれも図示略）を備える。これら３つの液晶パネルは、一対の透明基板間に液晶が封入された構成をそれぞれに有している。各液晶パネルは、複数の画素（図示略）がマトリックス状に配列された矩形状の画素領域を備えており、液晶に対して画素毎に駆動電圧を印加可能になっている。
【００２１】
光変調装置１１２には、液晶パネルのそれぞれを駆動する光変調装置駆動部１２２が接続される。光変調装置駆動部１２２は、内部バス１８０に接続される。
光変調装置駆動部１２２には、後述する画像処理部２０３からＲ、Ｇ、Ｂの３原色に分離された画像データが入力される。光変調装置駆動部１２２は、入力される各色の画像データを、対応する液晶パネルの動作に適したデータ信号に変換する。光変調装置駆動部１２２は、変換したデータ信号に応じた駆動電圧を対応する影響パネルの各画素に印加し、各液晶パネルに画像を描画する。これにより、光源部１１１から射出される光が、画像データに応じた画像光に変調される。
【００２２】
投射光学系１１３は、プロジェクター本体１０１（本体部）に着脱可能に取り付けられる。また、投射光学系１１３は、投射レンズ１１３２（図３参照）を備え、光変調装置１１２により変調された画像光をスクリーンＳＣに投射する。投射レンズ１１３２は、投射光学系１１３が備える光学部品であり、投射する画像を拡大や縮小するズームレンズや、フォーカスの調整を行うフォーカスレンズ等の複数のレンズ群を備える。投射レンズ１１３２は、本発明の「レンズ」に相当する。
【００２３】
投射光学系１１３には、投射光学系駆動部１２３が接続される。投射光学系駆動部１２３は、内部バス１８０に接続される。投射光学系駆動部１２３が本発明の「レンズ駆動部」に相当する。
投射光学系駆動部１２３は、制御部２５０の制御に従ってモーター（例えば、図４に示すモーター１１３１等）を駆動し、投射レンズ１１３２の備えるレンズ群の位置を調整してズーム調整や、フォーカス調整を行い、また、プロジェクター本体１０１に対する投射レンズ１１３２の位置を調整するレンズシフト調整等を行う。
【００２４】
プロジェクター１００は、第１スイッチ１２５及び第２スイッチ１２７を備える。以下、スイッチをＳＷと表記する。第１ＳＷ１２５及び第２ＳＷ１２７は、投射レンズ１１３２を備えた投射光学系１１３のプロジェクター本体１０１への装着状態を検出する。
第１ＳＷ１２５及び第２ＳＷ１２７は、例えば、固定接点及び可動接点を有する機械式スイッチ（メカスイッチ）により構成される。第１ＳＷ１２５及び第２ＳＷ１２７は、スイッチの状態として、可動接点が固定接点に接触したオンの状態と、可動接点と固定接点との間が開放されたオフの状態とをとる。
例えば、第１ＳＷ１２５及び第２ＳＷ１２７は、投射光学系１１３がプロジェクター本体１０１に装着された状態ではオンとなり、投射光学系１１３がプロジェクター本体１０１から取り外された状態ではオフとなる。
【００２５】
第１ＳＷ１２５の出力は、図３に示す強制オフ回路１２６に接続される。図１において、強制オフ回路１２６、及び第１ＳＷ１２５と強制オフ回路１２６と接続する信号線の図示は省略する。
第１ＳＷ１２５は、オンからオフに変化すると、強制オフ回路１２６に出力する信号の電圧レベルを変更する。また、第２ＳＷ１２７は、オンからオフに変化すると、制御部２５０に出力する信号の電圧レベルを変更する。
また、第１ＳＷ１２５の他の構成として、第１ＳＷ１２５がオンからオフに変化した場合に、所定の信号を強制オフ回路１２６に出力し、オフからオンに変化した場合には、信号の出力は行わないようにしてもよい。第２ＳＷ１２７についても同様である。
また、本実施形態では、第１ＳＷ１２５及び第２ＳＷ１２７に、機械式スイッチを用いた場合を例に説明するが、第１ＳＷ１２５及び第２ＳＷ１２７は、機械式スイッチに限定されない。第１ＳＷ１２５及び第２ＳＷ１２７として、例えば、ホールスイッチやマイクロスイッチ等を用いることもできる。
【００２６】
プロジェクター本体１０１には、ユーザーが操作を行うための各種スイッチや、インジケーターランプ、プロジェクター１００の状態を表示するＬＥＤ１３１３（図３参照）等を備えた操作パネル１３１が搭載される。
操作パネル１３１は、操作検出部１３３に接続される。操作検出部１３３は、制御部２５０の制御に従い、プロジェクター１００の動作状態や設定状態に応じて操作パネル１３１のインジケーターランプを適宜点灯又は点滅させる。操作パネル１３１のスイッチが操作されると、操作されたスイッチに対応した操作信号が操作検出部１３３から制御部２５０に出力される。
操作パネル１３１及び操作検出部１３３は、本発明の「操作受付部」に相当する。
【００２７】
プロジェクター１００は、ユーザーが使用するリモコン５を有する。リモコン５は各種のボタンを備え、これらのボタンの操作に対応して赤外線信号を送信する。プロジェクター本体１０１には、リモコン５が発する赤外線信号を受光するリモコン受光部１３２が搭載される。リモコン受光部１３２は、リモコン５から受光した赤外線信号をデコードして、リモコン５における操作内容を示す操作信号を生成し、制御部２５０に出力する。
リモコン５は、本発明の「操作受付部」に相当する。
【００２８】
プロジェクター１００は、表示部１３５及び表示パネル１３７を備える。
表示部１３５は、制御部２５０の制御に従い、表示パネル１３７に表示すべき画像の画像データをバッファー（図示略）に展開し、展開した画像データに基づき各種の駆動回路（図示略）を駆動して、画像データに基づく画像を表示パネル１３７に表示させる。表示パネル１３７には、例えば、透過型、反射型又は半透過型の液晶表示パネル、ＯＬＥＤ（Organic Light-emitting-diode）、ＯＥＬ（Organic Electro-Luminescence）等の有機ＥＬ表示パネル等を用いることができる。
【００２９】
プロジェクター１００は、電源部１４０を備える。
電源部１４０は、商用電源から入力される交流電圧を整流、平滑化して直流電圧に変換し、変換された直流電圧をトランス１４１（図３参照）、スイッチング素子等（いずれも図示略）により電力変換してプロジェクター１００の各部に供給する。
また、電源部１４０は、インターロックＳＷ１４３を備える。インターロックＳＷ１４３は、一次巻線Ｎ１と二次巻線Ｎ２とを有するトランス１４１の一次巻線Ｎ１（図３参照）側に設けられる。インターロックＳＷ１４３は、図３に示す強制オフ回路１２６から強制オフ信号が入力されると、オフする。インターロックＳＷ１４３がオフすることで、トランス１４１への直流電圧の供給がオフされる。
【００３０】
プロジェクター１００は、無線通信部２１４を備える。無線通信部２１４は、内部バス１８０に接続される。無線通信部２１４は、図示しないアンテナやＲＦ（Radio Frequency）回路等を備え、制御部２５０の制御の下、外部の装置との間で無線通信を実行する。無線通信部２１４の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００３１】
プロジェクター１００は、冷却ファン１５０を備える。冷却ファン１５０は、制御部２５０の制御に従って、光源部１１１に冷却空気を送風して光源部１１１及びプロジェクター１００内部の構成部品を冷却する。
なお、図１において、冷却ファン１５０と制御部２５０とを接続する制御信号線の図示は省略する。
【００３２】
プロジェクター１００の画像処理系は、プロジェクター１００を制御する制御部２５０を中心に構成され、この他に、画像処理部２０３、フレームメモリー２０５、記憶部２０７を備える。制御部２５０、画像処理部２０３及び記憶部２０７は、内部バス１８０に接続される。
【００３３】
画像処理部２０３は、制御部２５０の制御に従って、Ｉ／Ｆ部２０１から入力される画像データの属性を判定する。例えば、画像処理部２０３は、画像データに対し、画像サイズや解像度の判定、２Ｄ（平面）画像か３Ｄ（立体）画像かの判定、静止画像か動画像かの判定、フレームレートの判定等を行う。画像処理部２０３は、画像データをフレーム毎にフレームメモリー２０５に書き込み、書き込んだ画像に対して画像処理を実行する。
【００３４】
画像処理部２０３が実行する画像処理には、例えば、解像度変換（スケーリング）処理、フレームレート変換処理、形状補正処理、ズーム処理、色調補正処理、輝度補正処理、ガンマ補正処理等が含まれる。また、これらのうち複数の処理を組み合わせて実行することも勿論可能である。
【００３５】
解像度変換処理は、画像処理部２０３が、画像データの解像度を、制御部２５０により指定された解像度、例えば光変調装置１１２の液晶パネルの表示解像度に合わせて変換する処理である。
フレームレート変換処理は、画像処理部２０３が、画像データのフレームレートを、制御部２５０により指定されたフレームレートに変換する処理である。
形状補正処理は、画像処理部２０３が、制御部２５０から入力される補正パラメーターに従って画像データを変換して、スクリーンＳＣに投射する画像の形状を補正する処理である。
ズーム処理は、リモコン５や操作パネル１３１の操作によりズームが指示された場合に、画像処理部２０３が、画像を拡大／縮小する処理である。
色調補正処理は、画像データの色調を変換する処理であり、画像処理部２０３は、制御部２５０により指定された色調に合わせて画像データに含まれる各画素のデータを変更する。この処理において、プロジェクター１００は、映画鑑賞に適した色調、スクリーンＳＣが明るい環境に設置された場合に適した色調、黒板などの非白色のスクリーンＳＣに投射する場合に適した色調等を実現できる。色調補正処理に加え、コントラスト調整等を行ってもよい。
輝度補正処理は、画像処理部２０３が、画像データの輝度を補正する処理である。輝度補正処理により、画像データの輝度が、光源部１１１の発光状態やプロジェクター１００が設置された環境の明るさ等に対応した輝度に補正される。
ガンマ補正処理とは、外部から供給される画像データを、光変調装置１１２等の出力デバイスの出力特性に応じて補正する処理のことである。一般に、出力デバイスは非線形的な出力特性を有しているから、画像データに比例する出力レベル（例えば、駆動電圧信号や駆動電流信号電流レベル）で画像を出力しても、所望の色調では画像は出力されない。出力デバイスの出力特性に合わせて画像データを補正することにより、所望の色調で画像を出力することができる。
画像処理部２０３が実行する上記の処理の内容、パラメーター、及び処理の開始、終了のタイミングは制御部２５０により制御される。
画像処理部２０３は、処理後の画像データをフレームメモリー２０５から読み出し、Ｒ，Ｇ，Ｂの３原色に分離して光変調装置駆動部１２２に出力する。
【００３６】
記憶部２０７は、フラッシュＲＯＭ、ＥＥＰＲＯＭ（Electrically Erasable Programmable Read-Only Memory）等の不揮発性のメモリーにより構成される。記憶部２０７は、制御部２５０が処理するデータや、制御部２５０が実行する制御プログラムを不揮発的に記憶する。
【００３７】
制御部２５０は、ＣＰＵ（Central Processing Unit）、ＲＯＭ（Read Only Memory）及びＲＡＭ（Random Access Memory）等のハードウェア（いずれも図示略）を備え、プロジェクター１００の各部を統括制御する。ＲＯＭは、不揮発性の記憶装置であり、制御プログラムやデータを格納する。ＲＡＭは、ＣＰＵのワークエリアを構成する。ＣＰＵは、ＲＯＭや記憶部２０７から読み出した制御プログラムをＲＡＭに展開し、展開された制御プログラムを実行してプロジェクター１００の各部を制御する。
【００３８】
また、制御部２５０は、機能ブロックとして、投射制御部２５１、レンズシフト制御部２５２及びシャットダウン制御部２５３を備える。これらの機能ブロックは、ＣＰＵが、ＲＯＭや記憶部２０７に記憶された制御プログラムを実行することで実現される。
【００３９】
投射制御部２５１は、画像処理部２０３を制御して、Ｉ／Ｆ部２０１を介して画像供給装置３００から供給された画像データに基づいてフレームメモリー２０５に画像を描画させる。また、投射制御部２５１は、光変調装置駆動部１２２を制御して、フレームメモリー２０５に描画された画像を光変調装置１１２の液晶パネルに描画させる。光変調装置１１２の液晶パネルに描画された画像が、投射光学系１１３を介してスクリーンＳＣ上に投射される。
【００４０】
レンズシフト制御部２５２は、投射光学系駆動部１２３を制御する。レンズシフト制御部２５２は、操作パネル１３１が操作され、任意の一方向に駆動するように指示された場合に、指示に対応するモーター（レンズシフト機構１０２の備えるモーター）の駆動量を計算する。レンズシフト制御部２５２は、計算した駆動量を含む駆動信号を投射光学系駆動部１２３に出力する。
【００４１】
シャットダウン制御部２５３は、シャットダウン処理を実行して、プロジェクター１００の電源をオフする。
シャットダウン制御部２５３は、リモコン５又は操作パネル１３１に設けられた電源オフスイッチが押下された場合、又は第２ＳＷ１２７から入力される信号の電圧レベルが変化した場合に、シャットダウン処理を行って、プロジェクター１００の電源をオフさせる。
シャットダウン処理は、以下の手順で行われる。まず、シャットダウン制御部２５３は、実行中の処理があれば、この実行中の処理を終了させる。また、シャットダウン制御部２５３は、ＲＡＭ等の揮発性のメモリーに記憶されているデータを記憶部２０７に記憶させる。そして、最後に、シャットダウン制御部２５３は、電源部１４０を制御して、電源部１４０の電源供給をオフし、プロジェクター１００の電源をオフにする。
また、シャットダウン制御部２５３は、強制オフ回路１２６から強制オフ信号が入力されると、冷却ファン１５０を停止させ、投射光学系駆動部１２３を制御して、レンズシフト機構１０２の備えるモーターや、投射光学系１１３のモーター１１３１を停止させる。
【００４２】
電源制御部２５４は、電源制御回路２１５（図５参照）を制御して、プロジェクター１００の電源供給モードを、以下に示す４つの状態のいずれかに制御する。
電源供給モードとは、消費電力に基づくプロジェクター１００の状態であり、例えば、オペレーションや、スタンバイのモードがある。オペレーションでは、プロジェクター１００を構成する予め定められた構成要素に通電を行うモードであり、スタンバイは、オペレーションよりも少ない構成要素に電力を供給し、オペレーションよりも電力消費量の抑制を図るモードである。
電源供給モードの変更は、ユーザーの操作を、操作パネル１３１又はリモコン５により受け付けた場合に行ってもよいし、電源制御部２５４が、プロジェクター１００のステータスに応じて変更してもよい。
【００４３】
図２は、プロジェクター１００の備える電源供給モードを示す図である。
プロジェクター１００は、オペレーション、第１スタンバイ（ＡＶ（Audio Visual）スタンバイ）、第２スタンバイ（ネットワークスタンバイ）及び第３スタンバイ（ディープスタンバイ））の４つの電源供給モードを有している。オペレーションが本発明の「第１の電源供給モード」に相当する。また、第１スタンバイが本発明の「第２の電源供給モード」に相当する。また、第２スタンバイ及び第３スタンバイが本発明の「第３の電源供給モード」に相当する。
オペレーションは、光源部１１１及び光源駆動部１２１に電源が供給され、光源部１１１を点灯可能とする電源供給モードである。第１〜第３スタンバイは、光源部１１１及び光源駆動部１２１への電源供給を停止する電源供給モードである。
電源供給モードがオペレーションの場合のプロジェクター１００の消費電力は、電源供給モードが第１〜第３スタンバイの場合のプロジェクター１００の消費電力よりも大きい。
また、電源供給モードが第３スタンバイの場合のプロジェクター１００の消費電力が最も小さく、電源供給モードが第２スタンバイの場合のプロジェクター１００の消費電力が次に小さい。また、電源供給モードが第１スタンバイの場合、プロジェクター１００の消費電力が第２スタンバイよりも大きく、オペレーションよりも小さい。
【００４４】
プロジェクター１００は、電源供給モードがオペレーションの場合、光源部１１１の光源及びこれを冷却するための冷却ファン１５０は動作状態となる。また、電源供給モードがオペレーションの場合、ネットワーク通信の機能が有効であり、プロジェクター１００は、画像供給装置３００から供給される画像信号及び音声信号を処理することができる。さらに、電源供給モードがオペレーションの場合、ズーム調整や、フォーカス調整等のレンズ制御が可能であり、レンズシフト制御も可能である。また、電源供給モードがオペレーションの場合、操作パネル１３１に設けられたＬＥＤ１３１３は、点灯状態となる。
操作パネル１３１に設けられたＬＥＤ１３１３は、本発明の「報知部」に相当する。
【００４５】
プロジェクター１００は、電源供給モードが第１スタンバイの場合、光源部１１１の光源及びこれを冷却するための冷却ファン１５０は非動作状態となる。また、電源供給モードが第１スタンバイの場合、ネットワーク通信の機能が有効であり、プロジェクター１００は、画像供給装置３００から供給される画像信号及び音声信号の一部を処理することができる。さらに、電源供給モードが第１スタンバイの場合、ズーム調整やフォーカス調整等のレンズ制御はできないが、レンズシフト制御は可能な状態となる。すなわち、電源供給モードが第１スタンバイの場合、投射光学系駆動部１２３、及びレンズシフト機構部１０２（図４参照）に電源が供給され、投射レンズ１１３２（図３参照）を移動させることが可能な状態となる。
また、電源供給モードが第１スタンバイの場合、操作パネル１３１や、リモコン受光部１３２、操作検出部１３３、表示パネル１３７、表示部１３５に電源が供給され、ＬＥＤ１３１３は、オペレーションの場合とは異なる、例えば点滅した状態となる。
【００４６】
プロジェクター１００は、電源供給モードが第２スタンバイの場合、光源部１１１の光源及びこれを冷却するための冷却ファン１５０は非動作状態となる。また、電源供給モードが第２スタンバイの場合、ネットワーク通信の機能は有効であるが、プロジェクター１００は、画像供給装置３００から供給される画像信号及び音声信号を処理することができない。すなわち、電源供給モードが第２スタンバイの場合、プロジェクター１００は、外部の装置から送信されるＰＩＮＧ等のコマンドを受信して、受信したＰＩＮＧコマンドに対する応答を外部の装置に送信することができる。さらに、電源供給モードが第２スタンバイの場合、ズーム調整やフォーカス調整等のレンズ制御も、レンズシフト制御も行うことができない。また、電源供給モードが第２スタンバイの場合、操作パネル１３１や、リモコン受光部１３２、操作検出部１３３、表示パネル１３７、表示部１３５に電源が供給されるが、ＬＥＤ１３１３は、第１スタンバイの場合とは異なる、例えば消灯した状態となる。
【００４７】
プロジェクター１００は、電源供給モードが第３スタンバイの場合、光源部１１１の光源及びこれを冷却するための冷却ファン１５０は非動作状態となる。
また、電源供給モードが第３スタンバイの場合、ネットワーク通信の機能は無効であり、画像信号及び音声信号を処理することはできない。さらに、電源供給モードが第３スタンバイの場合、ズーム調整やフォーカス調整等のレンズ制御も、レンズシフト制御も行うことができない。また、電源供給モードが第３スタンバイの場合、操作パネル１３１や、リモコン受光部１３２、操作検出部１３３、表示パネル１３７、表示部１３５には電源が供給されず、ＬＥＤ１３１３は、第１スタンバイの場合とは異なる、例えば消灯した状態となる。
【００４８】
操作パネル１３１に設けられたＬＥＤ１３１３は、プロジェクター１００の電源供給モードが、オペレーションの状態のときには点灯し、第１スタンバイの状態のときには点滅し、第２スタンバイ及び第３スタンバイのときには消灯する。
従って、プロジェクター１００の電源供給モードが、オペレーションの状態にあるのか、第１スタンバイの状態にあるのか、又は第２若しくは第３スタンバイの状態にあるのかをユーザーに認識させることができる。
なお、本実施形態では、プロジェクター１００の電源供給モードを、ＬＥＤ１３１３によって表示する場合を例示したが、ユーザーへの電源供給モードの報知には、他の方法を用いてもよい。例えば、表示パネル１１３７に、現在の電源供給モードを文字表示させてもよいし、電源供給モードによってＬＥＤ１３１３の点滅パターンを変更してもよく、ユーザーが電源供給モードを視覚的に判別できれば、どのような報知手段及び報知方法を用いても良い。
【００４９】
図３は、プロジェクター１００のハードウェア構成を示す図である。
第１ＳＷ１２５の出力は、強制オフ回路１２６に接続される。
強制オフ回路１２６は、第１ＳＷ１２５から入力される信号の電圧レベルの変化を検出して、光源駆動部１２１、電源部１４０及び制御部２５０に強制オフ信号を出力する。強制オフ回路１２６は、例えば、第１ＳＷ１２５から入力される信号の電圧レベルがハイレベルからローレベルに変化すると、光源駆動部１２１、電源部１４０及び制御部２５０に強制オフ信号を出力する。
強制オフ信号を入力した光源駆動部１２１は、光源部１１１への電源の供給を停止し、光源部１１１の光源を消灯させる。
また、制御部２５０のシャットダウン制御部２５３は、強制オフ回路１２６から強制オフ信号が入力されると、図５に示す電源制御回路２１５を制御して、冷却ファン１５０への電源供給を停止させ、冷却ファン１５０をオフする。
さらに、電源部１４０のインターロックＳＷ１４３は、強制オフ回路１２６から強制オフ信号が入力されると、オンからオフに状態を変化させる。インターロックＳＷ１４３がオフされることで、トランス１４１への直流電圧の供給がオフされる。これにより、電源部１４０からの直流電圧の出力が停止し、プロジェクター１００を構成する各部への電源供給が停止される。
【００５０】
操作パネル１３１に設けられる操作キーには、プロジェクター制御キー（ＰＪ制御キーと表記する）１３１１と、ステータスモニターキー１３１２とが含まれる。
ＰＪ制御キー１３１１には、例えば、電源のオン、オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元）を切り替えるための「入力ソース切替キー」等がある。
ステータスモニターキー１３１２は、プロジェクター１００のステータス（状況）を表示パネル１３７に表示させるキーである。
また、操作パネル１３１には、ＬＥＤ１３１３が設けられる。ＬＥＤ１３１３は、制御部２５０の制御により、プロジェクター１００の電源供給モードに応じて点灯、点滅又は消灯する。
【００５１】
電源部１４０がメイン回路２００に電源を供給する電源線１４７には、検出部１４５が設けられている。検出部１４５は、電源線１４７の電圧を検出する。インターロックＳＷ１４３によってトランスへの直流電圧の供給がオフされると、電源線１４７の電圧が低下する。検出部１４５は、電源線１４７の電圧の検出結果を、図５に示すステータスモニターＣＰＵ２１３に出力する。ステータスモニターＣＰＵ２１３は、検出部１４５の検出結果を示す画像データを生成して表示部１３５に出力し、表示パネル１３７に表示させる。
【００５２】
図４は、プロジェクターと投射光学系との接続構成を示す図である。
プロジェクター本体１０１には、投射光学系駆動部１２３と、レンズシフト機構部１０２と、支持部材１０４とが設けられる。
【００５３】
投射光学系駆動部１２３は、（Electro-Static Discharge）素子１２３１と、モーター駆動部１２３２とを備える。ＥＳＤ素子１２３１は、本発明の「保護素子」に相当する。
ＥＳＤ素子１２３１は、静電気を吸収して、モーター駆動部１２３２や、投射光学系１１３に搭載されたズーム調整やフォーカス調整用のモーター１１３１等を静電気から保護する。
モーター駆動部１２３２は、ＥＳＤ素子１２３１を介して投射光学系１１３に接続され、制御部２５０の制御に従い投射光学系１１３に搭載されたズーム調整やフォーカス調整用のモーター１１３１に駆動電流を供給し、モーター１１３１を回転させる。また、モーター駆動部１２３２は、制御部２５０の制御に従いレンズシフト機構部１０２のモーターに駆動電流を供給してモーターを回転させる。
【００５４】
レンズシフト機構部１０２は、支持部材１０４のプロジェクター本体１０１における位置を、上下方向及び左右方向に移動させる駆動機構として、モーターやギアー（いずれも図示略）を備える。
モーター駆動部１２３２から供給される駆動電流や、駆動信号によってレンズシフト機構部１０２のモーターを駆動し、支持部材１０４のプロジェクター本体１０１での位置を上下方向及び左右方向に移動させる。これにより、支持部材１０４によって支持された投射光学系１１３の位置が、上下方向及び左右方向に移動し、投射レンズ１１３２が投射レンズ１１３２の光軸に垂直な面内で上下左右方向に移動（シフト）される。
【００５５】
レンズシフト機構部１０２は、シフト量検出部１０３を備える。シフト量検出部１０３は、レンズシフト機構部１０２がレンズシフトによって投射レンズ１１３２を移動させた移動量を検出する。移動量には、レンズシフト機構部１０２によって移動させた方向と、当該方向への移動距離とを示す情報が含まれる。移動距離は、投射レンズ１１３２の予め設定された基準位置であるホームポジション（着脱位置）から投射レンズ１１３２の現在位置までの距離を示す情報である。本実施形態では、レンズシフト機構部１０２が備えるモーターとしてステッピングモーターを用い、ステッピングモーターのステップ数に基づき移動量を検出する。この他に、レンズシフト機構部１０２に、エンコーダー（図示略）を設けて、このエンコーダーによって移動量を検出してもよい。
シフト量検出部１０３は、検出した投射レンズ１１３２の移動量をレンズシフト制御部２５２に出力する。レンズシフト制御部２５２は、シフト量検出部１０３により検出される移動量をＲＡＭに記憶させる。
【００５６】
支持部材１０４は、プロジェクター本体１０１に設けられ、投射光学系１１３を支持する。支持部材１０４に支持された投射光学系１１３は、支持部材１０４から取り外すことができる。
支持部材１０４は、レンズシフト機構部１０２のモーターやギアーによって駆動され、プロジェクター本体１０１での位置を、上下左右に移動させる。これにより、投射光学系１１３の投射レンズ１１３２が移動し、レンズシフト機構として動作する。
【００５７】
投射光学系１１３は、レンズブロック１１３０と、接続部１１３５とを備える。レンズブロック１１３０は、モーター１１３１と、投射レンズ１１３２とを備える。モーター１１３１は、投射レンズ１１３２を駆動し、投射レンズ１１３２を移動してズームやフォーカスの調整を行う。
【００５８】
接続部１１３５は、不図示のコネクターを備え、投射光学系１１３がプロジェクター本体１０１に装着された場合に、プロジェクター本体１０１に設けられたコネクター（図示略）と電気的に接続される。
また、接続部１１３５は、モーター１１３１に接続され、投射光学系１１３がプロジェクター本体１０１に装着された場合に、投射光学系駆動部１２３と、モーター１１３１とを電気的に接続する。この際、投射光学系駆動部１２３とモーター１１３１とは、ＥＳＤ素子１２３１を介して接続されるため、ＥＳＤ素子１２３１により静電気が吸収され、モーター駆動部１２３２やモーター１１３１が静電気から保護される。
【００５９】
図５は、メイン回路２００のブロック図である。
メイン回路２００には、メインＣＰＵ２１１、レンズシフトＣＰＵ２１２、ステータスモニターＣＰＵ２１３、無線通信部２１４、電源制御回路２１５、ＤＳＰ（digital signal processor）２１６、フラッシュＲＯＭ２１７、ＤＲＡＭ２１８等が搭載されている。
【００６０】
メインＣＰＵ２１１、レンズシフトＣＰＵ２１２及びステータスモニターＣＰＵ２１３は、図１に示す制御部２５０として機能する。
メインＣＰＵ２１１は、プロジェクター１００の全体を統括制御する。メインＣＰＵ２１１が、フラッシュＲＯＭ２１７に記憶された制御プログラムを実行することで、図１に示す投射制御部２５１及びシャットダウン制御部２５３として動作する。
【００６１】
レンズシフトＣＰＵ２１２は、投射光学系駆動部１２３を制御して、投射レンズ１１３２をレンズシフトさせる。
レンズシフトＣＰＵ２１２が、フラッシュＲＯＭ２１７に記憶された制御プログラムを実行することで、図１に示すレンズシフト制御部２５２として機能する。
【００６２】
ステータスモニターＣＰＵ２１３は、ステータスモニターキー１３１２が操作され、操作に対応した操作信号が操作検出部１３３から入力されると、メインＣＰＵ２１１に、ステータス要求コマンドを送信してプロジェクター１００のステータス情報を取得する。ステータスモニターＣＰＵ２１３は、取得したステータス情報を表示部１３５に出力して、表示パネル１３７に表示させる。
【００６３】
電源制御回路２１５は、制御部２５０（電源制御部２５４）の制御に従って、プロジェクター１００の各部に電源を供給する。電源制御回路２１５は、電源部１４０により生成された電源電圧から内部ロジック回路用電源を生成し、メイン回路２００の各部に供給する。また、電源制御回路２１５は、電源部１４０により生成された電源電圧を、メイン回路２００を除くプロジェクター１００の各部に供給する。
【００６４】
ＤＳＰ２１６は、図１に示す画像処理部２０３として機能する。フラッシュＲＯＭ２１７は、図１に示す記憶部２０７として機能する。ＤＲＡＭ２１８は、図１に示すフレームメモリー２０５として機能する。
【００６５】
プロジェクター１００は、消費電力を削減する目的で、複数の電源供給モードを備えている。プロジェクター１００が消費電力を削減する電源供給モードに移行してしまうと、投射レンズ１１３２を移動させることができない場合があり、投射レンズ１１３２が着脱可能な着脱位置にない場合には投射レンズ１１３２をプロジェクター本体１０１から取り外すことができない。このため、プロジェクター本体１０１から投射レンズ１１３２を取り外すには、プロジェクター１００を再起動させる必要があった。
そこで、本実施形態は、電源供給モードが第１スタンバイの状態にある場合に、電源制御部２５４は、電源制御回路２１５により投射光学系駆動部１２３に電源を供給して、投射レンズ１１３２の位置を移動させるレンズシフトの実行が可能な状態とした。
また、レンズシフト制御部２５２は、ユーザーによりレンズ移動処理の実行指示を受け付けた場合には、投射レンズ１１３２の現在位置を検出し、投射レンズ１１３２をホームポジションに移動させるためのモーター（レンズシフト機構部１０２のモーター）の駆動量を算出する。そして、レンズシフト制御部２５２は、算出した駆動量によりレンズシフト機構部１０２のモーターを駆動し、投射レンズ１１３２を着脱位置であるホームポジションに移動させる。
レンズ移動処理とは、投射レンズ１１３２を着脱位置であるホームポジションに移動させ、電源制御部２５４により投射光学系駆動部１２３への電源供給を停止させる処理である。
【００６６】
図６は、プロジェクター１００の動作を示すフローチャートである。
このフローは、プロジェクター１００の電源供給モードが第１スタンバイである場合に実行される処理である。
制御部２５０は、まず、操作パネル１３１又はリモコン５が操作され、操作パネル１３１又はリモコン５の操作に対応した操作信号が操作検出部１３３から入力されたか否かを判定する（ステップＳ１）。否定判定の場合（ステップＳ１／ＮＯ）、制御部２５０は、操作信号が入力されるまで待機する。
【００６７】
また、肯定判定の場合（ステップＳ１／ＹＥＳ）、制御部２５０は、入力された操作信号が、レンズ移動処理の実行を指示する信号であるか否かを判定する（ステップＳ２）。否定判定の場合（ステップＳ２／ＮＯ）、制御部２５０は、入力された操作信号に対応した処理を実行し（ステップＳ３）、ステップＳ１の判定に戻る。
【００６８】
また、ステップＳ２の判定において、レンズ移動処理であると判定した場合（ステップＳ２／ＹＥＳ）、制御部２５０のレンズシフト制御部２５２は、まず、電源制御部２５４に電源制御回路２１５を制御させ、投射光学系駆動部１２３に電源を供給させる（ステップＳ４）。
【００６９】
次に、レンズシフト制御部２５２は、ＲＡＭに記憶された投射レンズ１１３２の現在位置の情報を取得する（ステップＳ５）。
【００７０】
次に、レンズシフト制御部２５２は、取得した現在位置の情報に基づき、投射レンズ１１３２を、現在位置からホームポジションまで移動させるためのモーターの駆動量を算出する（ステップＳ６）。レンズシフト制御部２５２は、算出した駆動量の情報を含む駆動信号を生成して、投射光学系駆動部１２３のモーター駆動部１２３２に出力する（ステップＳ７）。モーター駆動部１２３２は、レンズシフト制御部２５２から入力される駆動信号に従って、レンズシフト機構部１０２のモーターを駆動する。
【００７１】
レンズシフト制御部２５２は、シフト量検出部１０３に移動量を検出させ、検出された移動量に基づき、投射レンズ１１３２がホームポジションに戻り、投射レンズ１１３２の移動が完了したか否かを判定する（ステップＳ８）。否定判定の場合（ステップＳ８／ＮＯ）、レンズシフト制御部２５２は、引き続きシフト量検出部１０３から移動量を取得して、投射レンズ１１３２のホームポジションへの移動が完了したか否かを判定する（ステップＳ８）。また、肯定判定の場合（ステップＳ８／ＹＥＳ）、レンズシフト制御部２５２は、電源制御部２５４に、第２スタンバイの状態への移行を指示する。
【００７２】
レンズシフト制御部２５２からの指示を受けた電源制御部２５４は、電源制御回路２１５を制御して、投射光学系駆動部１２３への電源の供給を停止させる（ステップＳ９）。
このように本実施形態は、プロジェクター１００の電源供給モードが第１スタンバイの状態において、投射レンズ１１３２をホームポジションに移動させることができる。また、光源部１１１や、投射光学系駆動部１２３への電源供給が停止されるので、投射レンズ１１３２の交換を安全に行うことができる。
【００７３】
なお、電源制御部２５４は、ステップＳ９の処理の後、画像処理部２０３、Ｉ／Ｆ部２０１及び無線通信部２１４への電源供給を停止させ、画像データの処理や、ネットワーク通信の機能も無効にし、プロジェクター１００の状態を第３スタンバイの状態へと移行させてもよい。また、電源制御部２５４は、シャットダウン制御部２５３に指示をしてシャットダウン処理を実行させ、プロジェクター１００の電源をオフにしてもよい。
これによって、ユーザーは、より安全に投射レンズ１１３２の交換を行うことができる。
【００７４】
また、図６に示すステップＳ１及びＳ２の判定において、制御部２５０は、例えば、操作信号が所定時間以上継続して入力され、入力される操作信号が、レンズ移動処理の実行を指示する信号であるか否かを判定してもよい。すなわち、制御部２５０は、ユーザーがレンズ移動処理の実行を指示するスイッチ（操作子）を所定時間以上継続して押下していたか否かを判定する。これにより、スイッチが誤って押下された場合に、投射レンズ１１３２が移動してしまうのを防止することができる。
【００７５】
以上説明したように、本発明のプロジェクター及びプロジェクターの制御方法を適用した実施形態は、電源供給を制御する電源制御部２５４と、画像を投射する投射レンズ１１３２と、投射レンズ１１３２を移動させる投射光学系駆動部１２３とを備える。
電源制御部２５４は、電源制御回路２１５を制御することで、電源供給モードとして、光源部１１１に電源を供給して、光源部１１１を点灯可能とするオペレーションと、光源への電源供給を停止する第１スタンバイとを実行する。
また、電源制御部２５４は、第１スタンバイにおいて、投射光学系駆動部１２３に電源を供給し、投射レンズ１１３２が着脱可能となる着脱位置に投射レンズ１１３２を移動可能とした。
従って、プロジェクター１００の消費電力を削減する電源供給モードにおいても、レンズ交換を速やかに行うことが可能となる。
【００７６】
また、プロジェクター１００は、投射光学系駆動部１２３により投射レンズ１１３２をホームポジションに移動させ、電源制御部２５４により電源部１４０からの電源供給を停止させるレンズ移動処理を実行する。
従って、投射レンズ１１３２の交換を安全に行うことができる。
【００７７】
また、レンズ移動処理において、投射光学系駆動部１２３への電源供給又はプロジェクター１００の電源供給を停止させる。
従って、投射レンズ１１３２の交換をより安全に行うことができる。
【００７８】
また、プロジェクター１００は、ユーザーの操作を受け付ける操作パネル１３１又はリモコン５を備える。プロジェクター１００は、レンズ移動処理において、操作パネル１３１又はリモコン５により所定の操作が受け付けられた場合に、投射光学系駆動部１２３により投射レンズ１１３２をホームポジションに移動させる。
従って、ユーザーからの操作によってレンズ移動処理を開始させることができる。
【００７９】
また、操作パネル１３１又はリモコン５に設けられたスイッチやボタンに対する予め設定された時間以上の操作を検出した場合に、投射光学系駆動部１２３により、投射レンズ１１３２をホームポジションに移動させる。
従って、スイッチやボタンが誤って押下された場合に、投射レンズ１１３２の移動を防止することができる。
【００８０】
また、投射光学系１１３は、投射レンズ１１３２と、投射レンズ１１３２を移動してズームやフォーカスの調整を行うモーター１１３１とを備えるレンズブロック１１３０を備える。プロジェクター本体１０１は、投射光学系１１３が接続され、投射光学系駆動部１２３とモーター１１３１とが電気的に接続された場合に、投射光学系駆動部１２３とモーター１１３１とを静電気から保護するＥＳＤ素子１２３１を備える。従って、投射光学系駆動部１２３とモーター１１３１とを静電気から保護することができる。
【００８１】
また、プロジェクター１００は、電源供給モードとして、電源部１４０から投射光学系駆動部１２３に電源供給しない第２及び第３スタンバイを有する。プロジェクター１００の操作パネル１３１には、第２及び第３スタンバイでは、オペレーション及び第１スタンバイの状態とは異なる態様で点灯又は点滅するＬＥＤ１３１３が設けられている。従って、ユーザーに、プロジェクター１００の電源供給モードを認識させることができる。
【００８２】
上述した実施形態は、本発明の好適な実施の形態である。ただし、これに限定されるものではなく、本発明の要旨を逸脱しない範囲内において種々の変形実施が可能である。
例えば、上述した実施形態では、ユーザーの操作を、操作パネル１３１又はリモコン５により受け付けた場合に、レンズ移動処理を開始させたが、電源供給モードをオペレーションの状態から第１スタンバイの状態に変更する際に、レンズ移動処理を実行させてもよい。
また、プロジェクター１００がオペレーションの状態にあるときに、ユーザーにより電源供給モードを第１スタンバイの状態に移行させる操作を操作パネル１３１又はリモコン５により受け付けた場合に、スクリーンＳＣに、「投射レンズの交換を行いますか」といった表示を表示させる。そして、投射レンズ１１３２の交換を行うとの操作を操作パネル１３１又はリモコン５により受け付けた場合に、電源供給モードをオペレーションから第１スタンバイに切り替え、レンズ移動処理を実行させてもよい。
【００８３】
また、上述した実施形態では、光源が発した光を変調する光変調装置１１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。また、光変調装置１１２として、ＬＣＯＳ（Liquid crystal on silicon,  LCoSは登録商標）等の反射型の液晶表示素子を用いてもよい。
【００８４】
また、上述した実施形態では、プロジェクター１００として、スクリーンＳＣの前方から投射するフロントプロジェクション型のプロジェクター１００を示したが、本発明はこれに限定されない。
また、図１に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００８５】
５…リモコン、１００…プロジェクター、１０１…プロジェクター本体、１０２…レンズシフト機構部、１０３…シフト量検出部、１０４…支持部材、１１１…光源部、１１２…光変調装置、１１３…投射光学系、１２１…光源駆動部、１２２…光変調装置駆動部、１２３…投射光学系駆動部、１２５…第１スイッチ、１２６…強制オフ回路、１２７…第２スイッチ、１３１…操作パネル、１３２…リモコン受光部、１３３…操作検出部、１４０…電源部、１４１…トランス、１４３…インターロックＳＷ、１４５…検出部、１４７…電源線、１５０…冷却ファン、１８０…内部バス、２００…メイン回路、２０１…Ｉ／Ｆ部、２０３…画像処理部、２０５…フレームメモリー、２０７…記憶部、２１１…メインＣＰＵ、２１２…レンズシフトＣＰＵ、２１３…ステータスモニターＣＰＵ、２１４…無線通信部、２１５…電源制御回路、２１６…ＤＳＰ、２１７…フラッシュＲＯＭ、２１８…ＤＲＡＭ、２５０…制御部、２５１…投射制御部、２５２…レンズシフト制御部、２５３…シャットダウン制御部、３００…画像供給装置、１１３０…レンズブロック、１１３１…モーター、１１３２…投射レンズ（レンズ）、１１３５…接続部、１２３１…ＥＳＤ素子、１２３２…モーター駆動部、１３１１…ＰＪ制御キー、１３１２…ステータスモニターキー、１３１３…ＬＥＤ、Ｎ１…一次巻線、Ｎ２…二次巻線、ＳＣ…スクリーン。
【図１】
0006707953.tif 000002
【図２】
0006707953.tif 000003
【図３】
0006707953.tif 000004
【図４】
0006707953.tif 000005
【図５】
0006707953.tif 000006
【図６】
0006707953.tif 000007